(57)【要約】【課題】本考案は、文字や絵を書いた装身具用シート及び表示シートを背面からエレクトロルミネッセンスシートに直流電流を通電して明るくし、暗いところでも文字や絵が見えるようにした。【解決の手段】本考案は文字や絵を書いた装身具用シート１及び表示シートに背面からインバータ３を用いて直流電流を通電してエレクトロルミネッセンスシート２を照明し、上面に配した装身具用及び表示シート１の文字や絵を暗いところでも見えるようにした。また、それを名札としたり、ヘルメット、帽子、腕章に装着したり、また自動車の内外に置いたり撮りつけて表示として用いることを目的とした。【選択図】    図１
0003114488.tif 000002
【実用新案登録請求の範囲】
【請求項１】
文字や絵を書いた透明乃至半透明なフィルムシートの背面にエレクトロルミネッセンスシートを配し、直流電流を通電して発光させ暗いところで文字や絵を見えるようにした表示体シート
【請求項２】
前記表示体シートの大きさが名刺や手札乃至それに近似した大きさで、表示体を首からぶら下げるか胸にクリップで留めるなど身体に装着可能な名札とした表示体シート
【請求項３】
前記表示体シートの大きさが名刺や手札乃至それに近似した大きさで、暗いところで見えるようにし、帽子やエレクトロルミネッセンスファイバーを周囲に取りつけたヘルメット等の身につけるものに取りつけた表示体シート
【請求項４】
自動車の内外に取り付けたり置いたりして、暗いところで見えるようにした前記表示体シート
【考案の詳細な説明】
【技術分野】
【０００１】  本考案は、背面からエレクトロルミネッセンスで照明し文字や絵を暗いところでも見えるようにした装身具用表示シートに関したものである。
【背景技術】
【０００２】  これまで屋内外にかかわらず、名札に名前を書いて胸に付けたり、帽子などに会社名など書いて装着しても、暗い場所ではその目的とするところ、他者に見せることが不可能であった。
特に屋外においてどうしても他者に見せるようにしなければならない場合、自分の帽子などにライト（電球）などの照明を別に取りつけて表示するものを見せるなどの工夫をしていた。
【考案開示】
【考案が解決しようとする課題】
【０００３】こういった従来のやり方では、身につけて見せるものの他にそれを照明するものを表示体の近傍に用意し取りつけなければならない。
また、表示体パネルがはっきり他者に判るようにするには表示体パネルと照明の位置が極めて近くなければならず、パネルの表面を明るくするための向きや、照明にそれなりの明るさが要求された。
【課題を解決するための手段】
【０００４】  本考案は、透明乃至半透明のフィルムシートに文字や絵などを書き、その背面にほぼ同じサイズのエレクトロルミネッセンスのシートを用意し、それに直流電流を通電して照明し前面のシートに書かれた文字や絵を暗いところでも見えるようにした。
【考案の効果】
【０００５】上述のような背面からの照明によって透明乃至半透明のフィルムシートに書かれた文字や絵を明るくして見せるので、従来のように前面から照明するのと違い、反射して見づらくなることもなく、何より簡単に目的とすることが達成されることとなった。
【考案を実施するための最良の形態】
【０００６】本考案の基本的な構造は、文字や絵などを書いたＯＨＰフィルムなど透明乃至半透明のフィルムシートとその背面から前面のフィルムを照明するためのほぼ同じサイズのエレクトロルミネッセンスのシートからなる。
この文字や絵などを書いたフィルムと発光するするシートを一体とし、名札や胸章とし、あるいは帽子やヘルメットに装着することを考案した。
【実施例】
【０００７】以下、添付図面に従って本考案の実施例を説明する。
第１図は本考案による名札を装着可能にしたものの正面図。第２図はその裏面図。第３図は側面図である。
この図において、上の面のシート１には文字が書かれており、裏面のエレクトロルミネッセンスのシート２の発光によって背面から明るく照明される。
エレクトロルミネッセンスのシート２は、回路及び電源となる乾電池が内蔵されているインバータ３からコード３ａを使って駆動され発光される。【０００８】図４および図５はヘルメットに本考案の表示シートを装着した実施例を示したものである。本実施例では、ヘルメットの周りに同じ発光素材であるワイヤー状のエレクトロルミネッセンス６を付けて同じインバータで発光させている。【０００９】図６および図７は帽子に本考案の表示シートを装着した実施例を示したものである。
これら実施例においてその構成するものは、表示されるシート１、裏面の発光するシート２、そして発光するための回路と電池を内臓インバータ３がその主たる構成要素である。【０００１０】図８は文字や絵を書いたシート１をエレクトロルミネッセンスシート２で背面から光らせ、自動車の内外に取り付けたり置いたりして目立つようにしたものである。
【産業上の利用可能性】
【０００１１】  以上のように胸章、ヘルメット、帽子、腕章などに装着したラベルやシートが背面から照明されて、そこに書かれた文字や絵がはっきり表示されることは、誤読されることなく実生活上大変便利で意味のあることである。
身につけるものに限らず、自動車の内外に用いるシートもまた暗いところでも他に判らせ危険防止となり便利に使われることになる。
使われる場所やその目的によっては、事故が未然に防げたり誤解から生じる無駄がなくなることが期待できる。
【図面の簡単な説明】
【０００１２】
【図１】は本考案のエレクトロルミネッセンスで照明した装身具用表示シートを名札とした実施例を示す正面図。
【図２】はその裏面図。
【図３】はその側面図である。
【図４】は本考案装身具用表示シートをヘルメットに装着した実施例を示す斜視図。
【図５】はそのヘルメットを裏から見た図である。
【図６】は本考案装身具用表示シートを帽子に装着した実施例を示す斜視図。
【図７】は帽子に撮りつける表示体を裏面から見た斜視図である。
【図８】は自動車の内外に用いられる表示体シートの斜視図である。
【符号の説明】
【００１２】  １  文字や絵が書かれた透明乃至半透明のフィルムシート
２  エレクトロルミネッセンスのシート
３  インバータ
３ａ  コード
４  紐
５  フック
６  エレクトロルミネッセンスのワイヤー
【図１】
0003114488.tif 000003
【図２】
0003114488.tif 000004
【図３】
0003114488.tif 000005
【図４】
0003114488.tif 000006
【図５】
0003114488.tif 000007
【図６】
0003114488.tif 000008
【図７】
0003114488.tif 000009
【図８】
0003114488.tif 000010
【手続補正書】
【提出日】平成17年2月3日(2005.2.3)
【手続補正１】
【補正対象書類名】実用新案登録請求の範囲
【補正対象項目名】全文
【補正方法】変更
【補正の内容】
【実用新案登録請求の範囲】
【請求項１】
文字や絵を書いた透明乃至半透明なフィルムシートの背面にエレクトロルミネッセンスシートを配し、直流電流を通電して発光させ暗いところで文字や絵を見えるようにした表示体シート
【請求項２】
文字や絵を書いた透明乃至半透明なフィルムシートの大きさが名刺や手札乃至それに近似した大きさで、表示体を首からぶら下げるか胸にクリップで留めるなど身体に装着可能な名札とした表示体シート
【請求項３】
文字や絵を書いた透明乃至半透明なフィルムシートの大きさが名刺や手札乃至それに近似した大きさで、暗いところで見えるようにし、帽子やエレクトロルミネッセンスファイバーを周囲に取りつけたヘルメット等の身につけるものに取りつけた表示体シート
【請求項４】
自動車の内外に取り付けたり置いたりして、暗いところで見えるようにした文字や絵を書いた透明乃至半透明なフィルムからなる表示体シート
【手続補正２】
【補正対象書類名】図面
【補正対象項目名】図１
【補正方法】変更
【補正の内容】
【図１】
0003114488.tif 000011
【手続補正３】
【補正対象書類名】図面
【補正対象項目名】図４
【補正方法】変更
【補正の内容】
【図４】
0003114488.tif 000012
【手続補正４】
【補正対象書類名】図面
【補正対象項目名】図６
【補正方法】変更
【補正の内容】
【図６】
0003114488.tif 000013
【手続補正５】
【補正対象書類名】図面
【補正対象項目名】図８
【補正方法】変更
【補正の内容】
【図８】
0003114488.tif 000014
【手続補正書】
【提出日】平成17年6月17日(2005.6.17)
【手続補正１】
【補正対象書類名】実用新案登録請求の範囲
【補正対象項目名】全文
【補正方法】変更
【補正の内容】
【実用新案登録請求の範囲】
【請求項１】
文字や絵を書いた透明乃至半透明なフィルムシートの背面にエレクトロルミネッセンスシートを配し、直流電流を通電して発光させ暗いところで文字や絵を見えるようにした表示体シート。
【請求項２】
文字や絵を書いた透明乃至半透明なフィルムシートの大きさが名刺や手札乃至それに近似した大きさで、表示体を首からぶら下げるか胸にクリップで留めるなど身体に装着可能な名札とした請求項１記載の表示体シート。
【請求項３】
文字や絵を書いた透明乃至半透明なフィルムシートの大きさが名刺や手札乃至それに近似した大きさで、暗いところで見えるようにし、帽子やエレクトロルミネッセンスファイバーを周囲に取りつけたヘルメット等の身につけるものに取りつけた請求項１記載の表示体シート。
【請求項４】
自動車の内外に取り付けたり置いたりして、暗いところで見えるようにした文字や絵を書いた透明乃至半透明なフィルムからなる請求項１記載の表示体シート。